(57)【要約】【課題】ショックプルーフメモリ内のデータを用いて記録或いは再生を行う場合には、対物レンズをフォーカス制御の初期位置に移動させる前にレーザ光源を点灯したり、或いはスピンドルモータを回し続けている為、無駄な消費電力が生じる。【解決手段】情報の記録又は再生動作の中断時には、レーザ光源を消灯すると共にフォーカス制御をオフし、情報の記録又は再生動作の再開時には、対物レンズを引き込み初期位置へ移動させた後、レーザ光源を点灯し、フォーカス引き込みを開始する。【選択図】        図２
2004272953.tif 000002
【特許請求の範囲】
【請求項１】
光源から発した光ビームを記録媒体上に集光する対物レンズと、前記対物レンズを光軸方向に移動させることにより光ビームのフォーカス制御を行うフォーカス制御手段と、前記対物レンズを初期位置から移動させながら合焦点位置を探索し、前記フォーカス制御の引き込みを行うフォーカス引き込み手段とを備えた光学的情報記録再生装置において、情報の記録又は再生動作の中断時には、前記光源を消灯すると共に前記フォーカス制御をオフし、情報の記録又は再生動作の再開時には、前記対物レンズを前記引き込み初期位置へ移動させた後、前記光源を点灯し、フォーカス引き込みを開始することを特徴とする光学的情報記録再生装置。
【発明の詳細な説明】
【０００１】
【発明の属する技術分野】
本発明は、光ディスク等の記録媒体に情報の記録或いは記録情報の再生を行う光学的情報記録再生装置に関し、特に、ショックプルーフメモリを用いて間欠的に情報の記録或いは記録情報の再生を行う場合に好適な光学的情報記録再生装置に関するものである。
【０００２】
【従来の技術】
従来より光ディスク装置、特に、携帯型の光ディスク装置においてはデータの記録或いは再生中に外部振動の影響によるデータの途切れをなくす為、ショックプルーフメモリを利用するものが数多く提案されている。
【０００３】
図７は従来例のショックプルーフメモリを用いた光ディスク装置の再生動作を示すフローチャートである。まず、装置の電源が投入されると、スピンドルモータが回転を始め、レーザ光源が点灯する。その後、フォーカス制御とトラッキング制御を開始する（Ｓ７０１）。
【０００４】
具体的には、ピックアップ内の対物レンズをアクチュエータの駆動可能範囲内でディスクから一番遠い、或いは近い位置、即ち、フォーカス制御の初期位置に移動させた後、対物レンズを今度はディスクに近付ける、或いは遠ざける方向に移動させる。この移動の際に生成されるサーボエラー信号に応じてアクチュエータを駆動し、ディスク記録面上にレーザスポットを合焦させるフォーカス制御を行う。その後、トラッキング制御をオンし、ディスク上の所望のトラックにレーザの照射スポットが沿うようにトラッキング制御を行う。
【０００５】
次いで、ディスクからデータを読み出し（Ｓ７０２）、読み出したデータを装置内に設けたショックプルーフメモリに逐次格納していく（Ｓ７０３）。その後、ショックプルーフメモリがディスクから読み出したデータで一杯になると（Ｓ７０４）、フォーカス・トラッキング制御を中断し（Ｓ７０５）、ディスクからのデータの読み出しを中断する。フォーカス・トラッキング制御を中断している間はショックプルーフ内のデータを用いて再生を行う（Ｓ７０６）。
【０００６】
このショックプルーフメモリ内のデータを用いてデータの再生を行っている間にショックプルーフメモリ内のデータ量が所定値以下になると（Ｓ７０７）、再度Ｓ７０１に戻ってフォーカス・トラッキング制御を開始し、ディスクからデータを読み出す。また、ショックプルーフメモリを用いることで外部振動によりフォーカス・トラッキング制御が外れた場合でも、ショックプルーフメモリ内のデータを用いている間はデータの途切れが起きない。
【０００７】
次に、ショックプルーフメモリを用いて間欠的な記録を行う場合の動作を図８のフローチャートを参照して説明する。まず、ＣＣＤやマイクによって検出された光又は音声データ等の記録データがエンコーダによってディスクへの記録フォーマットに従うデータ列に変換される。この記録データはショックプルーフメモリに逐次格納されていく（Ｓ８０１）。この際、再生動作の時とは逆にショックプルーフメモリが記録データで一杯になるまでは、フォーカス・トラッキング制御は行わない。
【０００８】
ショックプルーフメモリ内のデータ量が一杯になると（Ｓ８０２）、フォーカス・トラッキング制御を開始し（Ｓ８０３）、ショックプルーフメモリ内のデータをディスクに記録していく（Ｓ８０４）。このディスクへの記録動作の間にショックプルーフメモリ内のデータ量が所定値以下になると（Ｓ８０５）、フォーカス・トラッキング動作を中断し（Ｓ８０６）、ディスクへの記録動作を中断する。再生時と同様に外部振動によりフォーカス・トラッキング制御が外れた際には、即フォーカス・トラッキング制御を再開するのではなく、ショックプルーフメモリ内のデータ量を参照し（Ｓ８０５）、フォーカス・トラッキング制御を再開するタイミングを決定している。
【０００９】
この様に光ディスク装置内にショックプルーフメモリを設け、データの記録或いは再生動作をショックプルーフメモリを用いて間欠的に行う事により、外部振動等の影響によるデータの途切れの発生を防止できる。また、ショックプルーフ内のデータを用いて記録或いは再生動作を行っている時には、レーザ光源、アクチュエータ及びスピンドルモータへの電源供給を停止することにより、無駄な消費電力を抑制でき、特に、携帯型の光ディスク装置の場合には、電池の持続時間を長くする効果がある。
【００１０】
【発明が解決しようとする課題】
上記従来の光ディスク装置では、ショックプルーフメモリ内のデータを用いて再生を行った後、再びフォーカス制御を行う場合には、対物レンズをフォーカス制御の初期位置に移動させる前にレーザ光源を点灯し、スピンドルモータを回し続けている為、無駄な消費電力が生じる。また、記録の際に、ショックプルーフメモリのデータが一杯になった後、再びフォーカス制御を行う場合には、再生の場合と同様に、対物レンズをフォーカス制御の初期位置に移動させる前にレーザ光源を点灯し、スピンドルモータを回し続けている為、無駄な消費電力が生じる問題があった。
【００１１】
本発明は、上記従来の問題点に鑑みなされたもので、その目的は、低消費電力で情報の記録或いは記録情報の再生を行うことが可能な光学的情報記録再生装置を提供することにある。
【００１２】
【課題を解決するための手段】
本発明は、上記目的を達成する為、光源から発した光ビームを記録媒体上に集光する対物レンズと、前記対物レンズを光軸方向に移動させることにより光ビームのフォーカス制御を行うフォーカス制御手段と、前記対物レンズを初期位置から移動させながら合焦点位置を探索し、前記フォーカス制御の引き込みを行うフォーカス引き込み手段とを備えた光学的情報記録再生装置において、情報の記録又は再生動作の中断時には、前記光源を消灯すると共に前記フォーカス制御をオフし、情報の記録又は再生動作の再開時には、前記対物レンズを前記引き込み初期位置へ移動させた後、前記光源を点灯し、フォーカス引き込みを開始することを特徴とする。
【００１３】
【発明の実施の形態】
次に、本発明の実施の形態について図面を参照して詳細に説明する。
【００１４】
（第１の実施形態）
図１は本発明による光学的情報記録再生装置の第１の実施形態を示すブロック図である。図１において、１は光ディスクであり、スピンドルモータ３の駆動により回転する。２は光ディスク１上に情報の記録や記録情報の再生を行うピックアップであり、内部にレーザ光源、そのレーザ光を微小光スポットに集光して光ディスク１上に照射する対物レンズ、対物レンズを光ディスク１のフォーカス方向に駆動するフォーカスアクチュエータ、対物レンズをトラッキング方向に駆動するトラッキングアクチュエータ、光ディスク１からの反射光を検出する光検出器等を含んでいる。
【００１５】
４はピックアップ２内の光検出器の検出信号からフォーカスエラー信号、トラッキングエラー信号を生成するサーボエラー信号生成回路、５はフォーカスエラー信号とトラッキングエラー信号の位相補償を行う位相補償回路である。また、６はドライバー回路であり、位相補償回路６の出力のフォーカスエラー信号、トラッキングエラー信号に応じてそれぞれピックアップ２内のフォーカスアクチュエータ、トラッキングアクチュエータを駆動する。
【００１６】
７はピックアップ２内の光検出器の検出信号から再生信号を生成するＲＦアンプ、９は再生データや記録データを格納するショックプルーフメモリ、１０はショックプルーフメモリ９のデータを復調するデコーダ、１１はＤ／Ａ変換器である。また、１２は記録データを変調するエンコーダ、１３は装置内の各部を制御するコントローラである。
【００１７】
次に、本実施形態の動作について説明する。まず、装置の電源が投入されると、コントローラ１３からの指令によりスピンドルモータ３が駆動され、光ディスク１が回転する。次に、ピックアップ２内の対物レンズをフォーカスアクチュエータの駆動範囲内で光ディスク１に一番遠い、或いは近い位置、即ち、フォーカス制御の初期位置に移動させる。
【００１８】
次いで、コントローラ１３はフォーカスアクチュエータがフォーカス制御の初期位置に移動した事を確認したら、ピックアップ２内のレーザ光源を点灯し、対物レンズを初期位置から移動させる。この対物レンズがフォーカス制御の初期位置から移動している間は、光ディスク１からの反射光に基づく電気信号がサーボエラー信号生成回路４に入力される。このサーボエラー信号生成回路４から出力されたフォーカスエラー信号に位相補償回路５が位相補償を施し、その出力がドライバー回路６に入力される。
【００１９】
このドライバー回路６の出力に基づいてピックアップ２内のフォーカスアクチュエータが駆動され、対物レンズを初期位置から移動させながら合焦位置の探索を行い、合焦点位置でフォーカス制御の引き込みを行う。このフォーカス引き込み完了後にレーザスポットが光ディスク１の記録面上に合焦する様にフォーカス制御を行う。
【００２０】
次に、サーボエラー信号生成回路４でピックアップ２からの電気信号に基づいてトラッキングエラー信号が生成され、位相補償回路５を介してドライバー回路６へ入力される。ドライバー回路６ではトラッキングエラー信号に応じてピックアップ２内のトラッキングアクチュエータを駆動することで光ディスク１上の所望のトラックにレーザスポットが沿う様にトラッキング制御を行う。この様にフォーカス・トラッキング制御を開始した後、間欠的にデータの記録或いは再生動作を行う。
【００２１】
図２は本実施形態の間欠的な再生動作を示すフローチャートである。Ｓ２０１は前述のフォーカス・トラッキング制御の開始を示す。コントローラ１３は各部を制御して光ディスク１からデータを読み出す（Ｓ２０２）。光ディスク１から読み出したデータはショックプルーフメモリ９に逐次格納する（Ｓ２０３）。ショックプルーフメモリ９が再生データによって一杯になると（Ｓ２０４）、フォーカス・トラッキング制御を中断する（Ｓ２０５）。
【００２２】
この時、レーザ光源を消灯し、フォーカスとトラッキングアクチュエータには駆動電流が一切流れず、対物レンズは中立位置に移動する。この間、ショックプルーフメモリ９内のデータがデコーダ１０で復調された後、Ｄ／Ａ変換器１１を介して出力され、データの再生を行う（Ｓ２０６）。
【００２３】
次に、ショックプルーフメモリ９のデータ量が予め設定した第１の閾値Ｔｈ１（例えば、再生時間にして３秒分のデータ量とする）以下になると（Ｓ２０７）、フォーカスアクチュエータの駆動可能範囲内で対物レンズを光ディスク１から一番遠い、或いは近い位置、即ち、フォーカス制御の初期位置に移動させる（Ｓ２０８）。この間、ショックプルーフメモリ９内のデータをデコーダ１０、Ｄ／Ａ変換器１１で再生する（Ｓ２０９）。
【００２４】
次いで、対物レンズが初期位置に移動した後、ショックプルーフメモリ９内のデータ量が第２の閾値Ｔｈ２（例えば、再生時間にして２秒分のデータ量とする。閾値Ｔｈ１と閾値Ｔｈ２の関係はＴｈ１＞Ｔｈ２とする）以下になると（Ｓ２１０）、レーザ光源を点灯する（Ｓ２１１）。その後、Ｓ２０１に戻って、同様に対物レンズを初期位置から移動させてフォーカスの引き込みを行い、フォーカス・トラッキング制御を再開する。また、フォーカス・トラッキング制御を再開したら、光ディスク１からデータを読み出し、再生データをショックプルーフメモリ９に格納していく。この様にデータの間欠再生を行う際には、Ｓ２０１〜Ｓ２１１の処理を繰り返し行う。
【００２５】
ここで、本実施形態では、Ｓ２０８で対物レンズをアクチュエータの駆動可能範囲内で光ディスク１に一番遠い、或いは近い位置、即ち、フォーカス制御の初期位置に移動させた後、Ｓ２０９でショックプルーフメモリ９のデータを用いて再生を行い、その後、Ｓ２１０でショックプルーフメモリ９のデータ量が閾値Ｔｈ２以下になった時にレーザ光源を点灯している。即ち、対物レンズが初期位置に移動してからある程度の時間を置いてからレーザ光源を点灯している。この場合の効果を図３を用いて説明する。図３（ａ）はフォーカスアクチュエータに印加する電圧と時間の関係、図３（ｂ）は対物レンズの偏移量と時間の関係を示す。図３（ａ）、（ｂ）の横軸は時間を表し、横軸の０はフォーカス制御を開始する時間とする。
【００２６】
まず、対物レンズをフォーカス制御の初期位置に移動させる為には、対物レンズがフォーカス制御の初期位置に移動する様な電圧値Ｖｓを時刻０においてフォーカスアクチュエータに図３（ａ）のＡ線で示す様にステップ関数の如く、いきなり印加する方法がある。但し、この様な電圧の印加方法の場合には、電圧を印加した後、しばらくアクチュエータの偏移量は図３（ｂ）にＡ線で示す様に振動してしまう。
【００２７】
この様な振動が収まらない内に対物レンズをフォーカス制御の初期位置から移動させ始めて、フォーカス制御を始めてしまうと、フォーカス引き込みに失敗してしまい、フォーカス・トラッキング制御が再開出来るまでに時間がかかり、最悪の場合には、ショックプルーフメモリ９内のデータが無くなり、データが途切れるという事が起こり得る。
【００２８】
よって、アクチュエータの振動が収まるまでフォーカス制御を始めない方がフォーカス制御を正確に行うことができる。また、図３（ａ）にＢ線で示す様にある程度の時間Ｔｓをかけてフォーカス制御の初期位置にアクチュエータが移動する様な電圧値Ｖｓまで増加する電圧を印加し、図３（ｂ）にＢ線で示す様にアクチュエータの偏移量が振動しない様にして、フォーカス制御の初期位置Ｘｓに移動させる方が、後のフォーカスサーボを安定に行う上で望ましい。
【００２９】
この様に対物レンズをフォーカス制御の初期位置に移動させるには、ある程度の時間をかけた方が好ましい。よって、対物レンズが初期位置に移動する前にレーザ光源を点灯すると、その間（図３のＴｓの間）における消費電力が無駄という事になる。その結果、ショックプルーフメモリ９内のデータを用いて再生を行っている状態から、再びフォーカス・トラッキング制御を行う際に、対物レンズがフォーカス制御の初期位置に移動してから、レーザ光源を点灯する事が装置の低消費電力化に繋がる。
【００３０】
次に、本実施形態による間欠的な記録動作を図４のフローチャートを参照して説明する。まず、ＣＣＤやマイクから検出された光又は音声データ等の記録データがエンコーダ１２に入力され、光ディスク１への記録フォーマットに従ったデータ列に変換される。この記録データはショックプルーフメモリ９に逐次格納される（Ｓ４０１）。再生の時とは逆にこの記録データによってショックプルーフメモリ９内のデータ量が第１の閾値Ｔｈ１以上になると（Ｓ４０２）、対物レンズをフォーカス制御の初期位置に移動させる（Ｓ４０３）。この間、記録データをショックプルーフメモリ９に格納する（Ｓ４０４）。
【００３１】
ショックプルーフメモリ９内のデータ量が第２の閾値Ｔｈ２以上になると（Ｓ４０５）、レーザ光源を点灯し（Ｓ４０６）、フォーカス・トラッキング制御を開始し（Ｓ４０７）、ショックプルーフメモリ９内のデータを光ディスク１に記録する（Ｓ４０８）。次に、ショックプルーフメモリ９内のデータ量が第３の閾値Ｔｈ３以下になると（Ｓ４０９）、フォーカス・トラッキング制御を中断し（Ｓ４１０）、光ディスク１へのデータの記録を中断する。なお、第３の閾値Ｔｈ３は第１、第２の閾値Ｔｈ１、Ｔｈ２に対して大小の関係はないが、閾値Ｔｈ３が小さすぎると、フォーカス制御を早く始めてしまい、消費電力が大きくなるので、この点を考慮して最適に設定するのが望ましい。例えば、再生時間にして１秒分のデータ量とする。
【００３２】
この後、Ｓ４０１に戻って記録データをショックプルーフメモリ９に格納し、以下、同様の処理を行う。この様にＳ４０１〜Ｓ４１０の処理を繰り返し行い、データの間欠的な記録動作を行う。なお、閾値Ｔｈ１、Ｔｈ２は再生の場合とは逆に、それぞれ再生時間にして、例えば、２秒分のデータ量、再生時間にして３秒分のデータ量とする。
【００３３】
ここで、本実施形態では、ショックプルーフメモリ９内のデータを用いて再生動作を行っている間は、ショックプルーフメモリ９内のデータ量を参照して、対物レンズをフォーカス制御の初期位置に移動させるタイミング或いはレーザ光源を点灯するタイミングをそれぞれ決定することで、図３で説明したように装置の低消費電力化を実現している。また、記録の際にはショックプルーフメモリ９内に記録データを格納している間は、同様にショックプルーフメモリ９内のデータ量を参照して、対物レンズをフォーカス制御の初期位置に移動させるタイミング或いはレーザ光源を点灯するタイミングをそれぞれ決定することで、装置の低消費電力化を実現している。
【００３４】
（第２の実施形態）
図５は本発明の第２の実施形態による間欠的な再生動作を示すフローチャートである。なお、本実施形態のハードウェアの構成は第１の実施形態の場合と同様である。まず、フォーカス・トラッキング制御を開始し（Ｓ５０１）、その後、光ディスク１からデータを読み出し（Ｓ５０２）、再生データをショックプルーフメモリ９内に逐次格納していく（Ｓ５０３）。
【００３５】
ショックプルーフメモリ９が一杯になると（Ｓ５０４）、フォーカス・トラッキング制御を中断し（Ｓ５０５）、スピンドルモータ３の駆動を停止する（Ｓ５０６）。この時、レーザ光源は消灯する。フォーカス・トラッキング制御が中断している間はショックプルーフメモリ９内のデータを用いて再生動作を行う（Ｓ５０７）。その後、ショックプルーフメモリ９内のデータ量が第１の閾値Ｔｈ１以下になると（Ｓ５０８）、スピンドルモータ３を再び駆動し（Ｓ５０９）、対物レンズをフォーカス制御の初期位置に移動させる（Ｓ５１０）。この間、ショックプルーフメモリ９のデータを用いて再生を行う（Ｓ５１１）。
【００３６】
ショックプルーフメモリ９内のデータ量が第２の閾値Ｔｈ２以下になると（Ｓ５１２）、レーザ光源を点灯する（Ｓ５１３）。その後、Ｓ５０１に戻ってフォーカス引き込み動作を行い、フォーカス・トラッキング制御を再開し、以下、同様の処理を行う。この様にＳ５０１〜Ｓ５１３の処理を繰り返し行い、データの間欠的な再生動作を行う。なお、閾値Ｔｈ１、Ｔｈ２は第１の実施形態の場合と同様である。
【００３７】
ここで、間欠的な再生動作においてフォーカス・トラッキング制御を中断する際にスピンドルモータ３の駆動を停止する効果について説明する。対物レンズをフォーカス制御の初期位置に移動させる際には、アクチュエータの駆動はある程度の時間をかけると、その後のフォーカス制御を安定に行えることは図３を用いて説明した通りである。
【００３８】
図３におけるＴｓの時間内に回転を停止していたスピンドルモータ３が回転を再開し、データの再生に要する回転数に整定されれば、再びフォーカス・トラッキング制御がなされるまでの時間が長くなる様な事はない。一方、消費電力の面では、ショックプルーフメモリ９内のデータを用いて再生動作を行っている間はスピンドルモータ３の駆動が停止されている為、その分の消費電力を低減することができる。よって、ショックプルーフメモリ９内のデータを用いて、再生動作を行っている際には、アクチュエータの駆動を停止し、レーザ光源を消灯し、更に、その上にスピンドルモータ３の駆動を停止することが、装置の低消費電力化に繋がる。
【００３９】
次に、本実施形態による間欠的な記録動作を図６を参照して説明する。まず、記録データを逐次ショックプルーフメモリ９に格納していく（Ｓ６０１）。ショックプルーフメモリ９内のデータ量が第１の閾値Ｔｈ１以上になると（Ｓ６０２）、スピンドルモータ３を駆動し（Ｓ６０３）、対物レンズをフォーカス制御の初期位置に移動させる（Ｓ６０４）。この間、記録データをショックプルーフメモリ９に格納する（Ｓ６０５）。
【００４０】
ショックプルーフメモリ９内のデータ量が第２の閾値Ｔｈ２以下になると（Ｓ６０６）、レーザ光源を点灯し（Ｓ６０７）、フォーカス引き込みを行い、フォーカス・トラッキング制御を開始し（Ｓ６０８）、光ディスク１へのデータの記録動作を開始する（Ｓ６０９）。そして、ショックプルーフメモリ９内のデータ量が第３の閾値Ｔｈ３以下になると（Ｓ６１０）、フォーカス・トラッキング制御を中断し（Ｓ６１１）、スピンドルモータ３の駆動を停止する（Ｓ６１２）。その後、再度Ｓ６０１に戻って記録データをショックプルーフメモリ９内に格納し、以下、同様の処理を行う。この様にＳ６０１〜Ｓ６１２の処理を繰り返し行い、データの間欠的な記録動作を行う。なお、閾値Ｔｈ１〜Ｔｈ３は第１の実施形態の場合と同様である。
【００４１】
本実施形態では、ショックプルーフメモリ９内のデータを用いて再生動作を行っている間は、アクチュエータの駆動を切断し、レーザ光源を消灯し、更に、スピンドルモータ３の駆動を停止する。その後、ショックプルーフメモリ９内のデータを用いて再生動作を行っている間は、ショックプルーフメモリ９内のデータ量を参照してスピンドルモータ３を駆動するタイミング、対物レンズを初期位置に移動させるタイミング、レーザ光源を点灯するタイミングをそれぞれ決定する事で、装置の低消費電力化を実現している。
【００４２】
また、記録の際にショックプルーフメモリ９に記録データを格納している間は、アクチュエータの駆動を切断し、レーザ光源を消灯し、更に、スピンドルモータ３の駆動を停止する。その後、ショックプルーフメモリ９内のデータを用いて記録動作を行っている間は、ショックプルーフメモリ９内のデータ量を参照してスピンドルモータ３を駆動するタイミング、対物レンズをフォーカス制御の初期位置に移動させるタイミング、レーザ光源を点灯するタイミングをそれぞれ決定する事で、装置の低消費電力化を実現している。
【００４３】
次に、本発明の実施態様を以下に列挙する。
【００４４】
（実施態様１）
光源から発した光ビームを記録媒体上に集光する対物レンズと、前記対物レンズを光軸方向に移動させることにより光ビームのフォーカス制御を行うフォーカス制御手段と、前記対物レンズを初期位置から移動させながら合焦点位置を探索し、前記フォーカス制御の引き込みを行うフォーカス引き込み手段とを備えた光学的情報記録再生装置において、情報の記録又は再生動作の中断時には、前記光源を消灯すると共に前記フォーカス制御をオフし、情報の記録又は再生動作の再開時には、前記対物レンズを前記引き込み初期位置へ移動させた後、前記光源を点灯し、フォーカス引き込みを開始することを特徴とする光学的情報記録再生装置。
【００４５】
（実施態様２）
記録情報又は再生情報を一時的に蓄積するメモリを有し、前記情報の記録又は再生動作を再開する際には、前記メモリ内のデータの残量が所定の第１の閾値量になった時に対物レンズを前記引き込み初期位置へ移動させ、前記メモリ内のデータの残量が再生動作時は前記第１の閾値量より小さい第２の閾値量になった時、記録動作時は前記第１の閾値量より大きい第２の閾値量になった時に前記光源を点灯することを特徴とする実施態様１に記載の光学的情報記録再生装置。
【００４６】
（実施態様３）
前記情報の記録又は再生動作の中断時には、前記記録媒体を回転させるスピンドルモータの駆動を停止し、前記情報の記録又は再生動作の再開時には、前記スピンドルモータの駆動を再開した後、前記対物レンズを前記引き込み初期位置へ移動させることを特徴とする実施態様１に記載の光学的情報記録再生装置。
【００４７】
（実施態様４）
記録情報又は再生情報を一時的に蓄積するメモリを有し、前記情報の記録又は再生動作を再開する際には、前記メモリ内のデータ残量が所定の第１の閾値量になった時に前記スピンドルモータを駆動した後、前記対物レンズを前記引き込み初期位置へ移動させ、前記メモリ内のデータ残量が再生動作時は前記第１の閾値量より小さい第２の閾値量になった時、記録動作時は前記第１の閾値量より大きい第２の閾値量になった時に前記光源を点灯することを特徴とする実施態様３に記載の光学的情報記録再生装置。
【００４８】
【発明の効果】
以上説明したように本発明によれば、再生又は記録動作を中断している間は、アクチュエータの駆動を停止するだけではなく、光源を消灯し、ショックプルーフメモリ内のデータを用いて記録又は再生動作を行っている間は、ショックプルーフメモリ内のデータ量を参照して対物レンズをフォーカス制御の初期位置に移動させるタイミング及びレーザ光源を点灯するタイミングをそれぞれ決定しているので、装置の低消費電力化を実現することができる。
【００４９】
また、光源を消灯するだけでなく、スピンドルモータの駆動を停止し、ショックプルーフメモリ内のデータを用いて記録又は再生動作を行っている間は、ショックプルーフメモリ内のデータ量を参照してスピンドルモータを駆動するタイミング、対物レンズをフォーカス制御の初期位置に移動させるタイミング及び光源を点灯するタイミングをそれぞれ決定することにより、更に装置の低消費電力化を実現することができる。
【図面の簡単な説明】
【図１】本発明による光学的情報記録再生装置の第１の実施形態の構成を示すブロック図である。
【図２】第１の実施形態の間欠的な再生動作を示すフローチャートである。
【図３】第１の実施形態による効果を説明する図である。
【図４】第１の実施形態の間欠的な記録動作を示すフローチャートである。
【図５】本発明の第２の実施形態の間欠的な再生動作を示すフローチャートである。
【図６】本発明の第２の実施形態の間欠的な記録動作を示すフローチャートである。
【図７】従来例の光ディスク装置の間欠的な再生動作を示すフローチャートである。
【図８】従来例の光ディスク装置の間欠的な記録動作を示すフローチャートである。
【符号の説明】
１  光ディスク
２  ピックアップ
３  スピンドルモータ
４  サーボエラー信号生成回路
５  位相補償回路
６  ドライバー回路
７  ＲＦアンプ
１２  エンコーダ
９  ショックプルーフメモリ
１０  デコーダ
１１  Ｄ／Ａ変換器
１３  コントローラ
【図１】
2004272953.tif 000003
【図２】
2004272953.tif 000004
【図３】
2004272953.tif 000005
【図４】
2004272953.tif 000006
【図５】
2004272953.tif 000007
【図６】
2004272953.tif 000008
【図７】
2004272953.tif 000009
【図８】
2004272953.tif 000010